(57)【特許請求の範囲】
【請求項１】
内部に冷却媒体と静止誘導電気機器を収納するタンクと、このタンクに配管を介して連通し循環する上記冷却媒体を冷却させる冷却器を備えた静止誘導電気機器装置において、
上記配管内の所定位置に複数の導電性金属板を上記冷却媒体の流れの方向に板面を沿わせかつ、づらして配置するとともに接地して上記冷却媒体内の帯電電荷を緩和する除電手段を備えていることを特徴とする静止誘導電気機器装置。
【請求項２】
除電手段は、中央部が配管の中心に沿って配置された軸に順次周方向に角度をずらして取り付けられた複数の導電性金属板で構成されていることを特徴とする請求項１に記載の静止誘導電気機器装置。
【請求項３】
配管は周方向に分割され少なくとも一つの導電性金属板の端部が上記分割された面で挟持されていることを特徴とする請求項２に記載の静止誘導電気機器装置。
【請求項４】
除電手段は、配管の長手方向に視て所定の間隔を介して平行となるように配置された複数の導電性金属板で構成されていることを特徴とする請求項１に記載の静止誘導電気機器装置。
【請求項５】
導電性金属板は流れの方向の両端部が流線形状を成していることを特徴とする請求項２ないし４のいずれかに記載の静止誘導電気機器装置。
【請求項６】
配管に内部を流れる冷却媒体の流量を調整できる分岐配管を形成し上記分岐配管内に除電手段を設けたことを特徴とする請求項１に記載の静止誘導電気機器装置。
【請求項７】
配管に分岐配管を形成し上記両配管内にそれぞれ除電手段を設けるとともに上記両配管を流れる冷却媒体の切り替えを可能にしたことを特徴とする請求項１に記載の静止誘導電気機器装置。
【請求項８】
内部に冷却媒体と静止誘導電気機器を収納するタンクと、このタンクに配管を介して連通し循環する上記冷却媒体を冷却させる冷却器を備えた静止誘導電気機器装置において、上記タンクの上部位置に上記タンク内と第２の配管で連通する上記冷却媒体の強制循環回路を設け、上記第２の配管内に複数の導電性金属板を上記冷却媒体の流れの方向に板面を沿わせかつ、づらして配置するとともに接地して上記冷却媒体内の静電荷を除電する除電手段を備えたことを特徴とする静止誘導電気機器装置。
【発明の詳細な説明】
【０００１】
【発明の属する技術分野】
この発明は電力用変圧器、リアクトルなどの静止誘導電気機器装置に係り、特に冷却に用いられる冷却媒体の静電荷帯電の緩和に関するものである。
【０００２】
【従来の技術】
図１３は、例えば特開昭５５−２４４６７号公報に開示された従来の静止誘導電気機器装置の要部の構成を示す断面図である。
図において、１は鉄心２および巻線３等でなる静止誘導電気機器としての変圧器で、巻線３は低圧コイル３ａと高圧コイル３ｂでなり、それぞれダクト３ｃを有して配置されている。４は内部に変圧器１および冷却媒体としての絶縁油５を収納したタンクで、上部側空間６に上部開口４ａが下部側空間７に下部開口４ｂが設けられている。８は絶縁油５の冷却を行う冷却器、９は冷却器８とタンク４の上部開口４ａ間を連結し絶縁油５の流路をなす上部配管、１０は冷却器８とタンク４の下部開口４ｂ間を連結し絶縁油５の流路を成す下部配管、１１は下部配管１０の途中に設けられ絶縁油５を循環させるための動力ポンプ、１２は絶縁油５の流れる方向を矢印にして示したものである。
【０００３】
上記のように構成された静止誘導電気機器装置は、変圧器１の運転に伴い、変圧器１の低圧コイル３ａ、高圧コイル３ｂに負荷電流が流れ損失が発生し温度が上昇する。一方、同時に稼動する動力ポンプ１１により絶縁油５は配管９、１０を介してタンク４内部および冷却器８間を循環する。即ち、変圧器１で発生する熱を吸収し温度上昇した絶縁油５が冷却器８によって冷却されタンク４内にもどる。
ここで、冷却媒体となる絶縁油５は、絶縁物として、例えば１０の１４乗Ω−ｃｍ以上の高い固有抵抗率を有し、変圧器１と冷却器８間を循環する際に変圧器１各部の構成物との摩擦により静電気を帯電することがある。この絶縁油５の帯電のプロセスについては、電気学会雑誌９９巻１０号記載の「大容量変圧器における流動帯電現象」などに詳細が説明されている。
【０００４】
図１４は、この帯電現象プロセスの一つを説明したものである。
図において、動力ポンプ１１より吐出された絶縁油５は、タンク４の下部側空間７に入り下側から巻線３内のダクト３ｃを通ってタンク４の上部側空間６に吐出されるが、この時巻線３の下部側入口や巻線３内の例えばプレスボードなどの固体絶縁物として接して流れることにより帯電が生ずる。この時、固体絶縁物側はマイナスに絶縁油５はプラスに帯電することが実験により確認されている。
ここで、固体絶縁物側に発生したマイナスの電荷は、これに接する巻線３の中性点の接地線１３などを介して大地に流れて消失する。
一方、絶縁油５中に発生したプラス電荷は、絶縁油５の流れによりタンク４の上部側空間６に運ばれて、タンク４壁面からタンク接地線１４を介して大地に流れて緩和する。また、上部側空間６で完全に緩和されない場合、残留電荷は絶緑油５の循環流に従って上部配管９、冷却器８下部配管１０それぞれの壁面から接地線１５を介して大地に流れさらに緩和が進む。
【０００５】
【発明が解決しようとする課題】
従来の静止誘導電気機器装置は上記のように構成され、絶縁油５中に発生したプラス電荷は循環路中の壁面から接地線１４、１５を介し大地に流れることにより緩和されるが、残留する電荷が存在する場合、還流電荷１６として変圧器１に流入する。このような還流電荷１６が存在すると油中電荷の密度はビルドアップして高いものとなる。
しかしながら、図１５に示すように、冷却器８は通常、鉄やアルミを使用した金属製で冷却効率を上げる目的で、冷却器８内は細い管８ａに冷却フィンを取り付けた構造になっており、絶縁油５とこれら金属配管との接触面積が大きくなるように配慮されている。従って、絶縁油５が循環する際摩擦面積が大きく静電気が発生しやすいものとなりここでも、絶縁油５がプラス電荷を持つことが確認されている。なお、このような金属と油の摩擦による静電気の発生については、石油パイプラインにおいてその現象が確認されている。
以上のような還流電荷および冷却器による電荷の侵入は、タンク４内の絶縁油５のプラス電荷の密度上昇を引き起こし、この電荷がつくる電界が上昇して絶縁油５の限度を超えると絶縁破壊に至るという問題点があった。
【０００６】
この発明は上記のような問題点を解消するためになされたもので、冷却媒体の循環に係る冷却媒体の電荷密度の上昇を抑制し絶縁信頼性を確保できる静止誘導電気機器装置を提供することを目的とするものである。
【０００７】
【課題を解決するための手段】
この発明の請求項１に係わる静止誘導電気機器装置は、内部に冷却媒体と静止誘導電気機器を収納するタンクと、このタンクに配管を介して連通し循環する冷却媒体を冷却させる冷却器を備えた静止誘導電気機器装置において、
配管内の所定位置に複数の導電性金属板を冷却媒体の流れの方向に板面を沿わせかつ、づらして配置するとともに接地して冷却媒体内の静電荷を除電する除電手段を設けたものである。
【０００８】
また、この発明の請求項２に係わる静止誘導電気機器装置は、請求項１において、除電手段を、中央部が配管の中心に沿って配置された軸に順次周方向に角度をずらして取り付けられた複数の導電性金属板で構成したものである。
【０００９】
また、この発明の請求項３に係わる静止誘導電気機器装置は、請求項２において、配管は周方向に分割され少なくとも一つの導電性金属板の端部が分割された面で挟持されているものである。
【００１０】
また、この発明の請求項４に係わる静止誘導電気機器装置は、請求項１において、除電手段を、配管の長手方向に視て所定の間隔を介して平行となるように配置された複数の導電性金属板で構成したものである。
【００１１】
また、この発明の請求項５に係わる静止誘導電気機器装置は、請求項２ないし４のいずれかにおいて、導電性金属板は流れの方向の両端部が流線形状を成しているものである。
【００１２】
また、この発明の請求項６に係わる静止誘導電気機器装置は、請求項１において、配管に内部を流れる冷却媒体の流量を調整できる分岐配管を形成し分岐配管内に除電手段を設けたものである。
【００１３】
また、この発明の請求項７に係わる静止誘導電気機器装置は、請求項１において、配管に分岐配管を形成し両配管内にそれぞれ除電手段を設けるとともに両配管を流れる冷却媒体の切り替えを可能にしたものである。
【００１４】
また、この発明の請求項８に係わる静止誘導電気機器装置は、内部に冷却媒体と静止誘導電気機器を収納するタンクと、このタンクに配管を介して連通し循環する冷却媒体を冷却させる冷却器を備えた静止誘導電気機器装置において、タンクの上部位置にタンク内と第２の配管で連通する冷却媒体の強制循環回路を設け、第２の配管内に複数の導電性金属板を冷却媒体の流れの方向に板面を沿わせかつ、づらして配置するとともに接地して冷却媒体内の静電荷を除電する除電手段を設けたものである。
【００１５】
【発明の実施の形態】
実施の形態１．
以下、この発明の実施の形態１を図に基づいて説明する。
図１はこの発明の実施の形態１における静止誘導電気機器装置の要部の構成を示す断面図、図２は図１における除電装置の構成を詳細に示す透視斜視図である。
図において、１０１は鉄心１０２および巻線１０３等でなる静止誘導電気機器としての変圧器で、巻線１０３は低圧コイル１０３ａと高圧コイル１０３ｂでなりそれぞれダクト１０３ｃを有して配置されている。１０４は内部に変圧器１０１および冷却媒体としての絶縁油１０５を収納したタンクで、上部側空間１０６に上部開口１０４ａが下部側空間１０７に下部開口１０４ｂが設けられている。１０８は絶縁油１０５の冷却を行う冷却器、１０９は冷却器１０８とタンク１０４の上部開口１０４ａ間を連結し絶縁油１０５の流路をなす上部配管、１１０は冷却器１０８とタンク１０４の下部開口１０４ｂ間を連結し絶縁油１０５の流路をなす下部配管、１１１は下部配管１１０の途中に設けられ絶縁油１０５を循環させる動力ポンプ、１１２は下部配管１１０の所定位置の流路を形成し周方向に分割可能な分割面１１２ａを有してなる継管、１１３は継管１１２の中心に沿って配置された銅などの導電性を有する軸、１１４は複数が絶縁油１０５の流れの方向に板面を沿わせ中央部が軸１１３に順次周方向に角度をずらして取り付けられた導電性金属板としての銅板等でなる除電電極で、その内少なくとも１枚、ここでは３枚が固定用除電電極１１４ａとしてその端部を継管１１２の分割面１１２ａで挟持されている。１１５は継管１１２から大地に接地された接地線で、これら１１２ないし１１５で除電手段としての除電装置１１６を構成している。
【００１６】
上記のように構成された静止誘導電気機器装置は、従来と同様にまず、動力ポンプ１１１を稼動し、これにより絶縁油１０５は両配管１０９、１１０を介してタンク１０４内部および冷却器１０８間を循環する。従って、動力ポンプ１１１から変圧器１０１が収納されたタンク１０４側に向かう絶縁油１０５は従来で説明した帯電プロセスによって静電気が帯電したものとなるが、帯電した絶縁油１０５が下部配管１１０途中に設けられた除電装置１１６を通過することによって、絶縁油１０５中の静電荷が除電装置１１６に放出、緩和される。
この放出、緩和動作の手順は以下の通りとなる。
まず、帯電した絶縁油１０５、除電装置１１６の除電電極１１４に接触し、電荷が除電電極１１４に放出される。
次に放出された電荷は、除電電極１１４から各除電電極１１４を導通接続する軸１１３を介し固定用の除電電極１１４ａを経て継管１１２に流入し、最終的に接地線１１５により大地へ放出し緩和される。
【００１７】
ここで、上記の除電電極１１４の構成配置の特徴について、以下に説明する。通常、絶縁油の静電気を放出、緩和させる場合、絶縁油と緩和電極との接触面積を大きく採れば除電効果が向上することは明白である。
このような接触面積を大きく採る方法として一般的に考えられるのが、図３の除電電極構成の斜視図に示すような流路に電極板を格子状に組んだ格子状電極１１７を用いる方法である。しかしながら、格子状電極１１７の場合、絶縁油の流路断面積に対する電極の占有面積が大きくなり、圧損の増加による絶縁油循環量の低下を招き、冷却能力が不足する問題がある。
また、格子状電極１１７部では、実質的な流路断面積の縮減にともない絶縁油流速が速くなり、絶縁油と格子状電極との摩擦による帯電量が、除電量を上回る問題も発生する。
一方、格子状電極１１７のピッチを大きくし格子電極数を減らし、この代わりに電極の絶縁油の流れの方向の長さを長くすることにより冷却能力不足や帯電量の増加に対処する方法も考えられる。
しかし、このような処置では、図４の電極近傍の絶縁油の流れを示す部分断面図に示す通り、長さの長い除電電極１１８の表面と接する絶縁油は、除電電極１１８の先端部１１８ａで接する絶縁油が、外側の絶縁油と大きく入れ替わることなく、除電電極１１８近傍を終端部１１８ｂまで流れるため、除電電極１１８の下流側は常に緩和された絶縁油に覆われ、帯電電荷の緩和効率が悪いものとなる。
【００１８】
この実施の形態１では以上のような点に配慮された構造となっており、まず、除電電極１１４の位置は、図５の除電装置１１６を流れの方向から投影して示した断面図のとおり、周方向に角度を順次変えて均等に配置されているため、除電装置１１６内を流れる絶縁油１０５は、除電装置１１６を通過する間に何れかの除電電極１１４の近傍を流れ、この時に絶縁油１０５の帯電電荷は、除電電極１１４に流入する。
また、除電電極１１４の流路断面に占める割合は、図６の除電装置１１６を流れの方向に各除電電極１１４位置に順次断面して示した断面展開図のとおり、各断面では除電電極１１４は１個だけで流路断面積に対する占有率は小さく、圧損の上昇や流速の増大が押さえられる。
なお、除電電極１１４の形状を、図７の除電電極１１４の要部を拡大して示す断面図のとおり、絶縁油１０５が流入および流出する側の端部１１４ｂ、１１４ｃをテーパ形状の流線形にすることによって、圧損をさらに低く押さえることが可能である。
【００１９】
このように、上記実施の形態１によれば、下部配管１１０の途中に継管１１２と中央部が継管１１２の中心に沿って配置された軸１１３に順次周方向に角度をずらして取り付けられた複数の除電電極１１４とを接地してなる除電装置１１６を設けたので、絶縁油１０５の流れを阻害することなく絶縁油１０５内の帯電電荷を効率よく緩和させることが可能となり電荷の還流による電荷密度の上昇が抑制される。
また、継管１１２は周方向に分割され少なくとも一つの除電電極１１４ａの端部を分割面１１２ａで挟持するように構成したので組立、分解を容易にする。さらに除電電極１１４の絶縁油１０５が流入および流出する側の端部１１４ｂ、１１４ｃが流線形にしてあるので流れに対する圧損をさらに減少できる。
【００２０】
実施の形態２．
図８はこの発明の実施の形態２における静止誘導電気機器装置においてその除電装置の要部の構成を示す斜視図、図９は図８における流れの方向に投影して示した断面図である。
図において、除電装置以外（図示せず）は実施の形態１と同様でありその説明は省略する。１１９は下部配管の所定位置の流路を形成し周方向に分割可能な複数の分割面１１９ａを所定間隔で段階的に有してなる継管、１２０は継管１１９の長手方向に視て所定の間隔を介して平行になるように配置され、その端部１２０ａを分割面１１９ａで挟持された複数の導電性金属板としての銅板等でなる除電電極で、この継管１１９と除電電極１２０を組合わせたもの２組を互いに９０度ずらして図９に示す格子状になるように直列に配置し、接地（図示せず）して除電手段としての除電装置１２１を構成している。
【００２１】
上記のように構成した除電装置１２１も実施の形態１と同様、絶縁油１０５の流れを阻害することなく絶縁油１０５内の帯電電荷を効率よく緩和させることが可能で電荷の環流による電荷密度の上昇を抑制することができる。
なお、この構成でも実施の形態１と同様に除電電極１２０の絶縁油１０５が流入および流出側の端部を流線形にすることによって、圧損を低く押さえられることはいうまでもない。
【００２２】
実施の形態３．
図１０はこの発明の実施の形態３における静止誘導電気機器装置の要部の構成を示す断面図である。
図において、実施の形態１におけると同様の部分は同一符号を付してその説明は省略する。１２２は冷却器１０８とタンク１０４の下部開口１０４ｂ間を連結し絶縁油１０５の流路をなす下部配管、１２３は下部配管１２２と分岐して設けられた分岐配管で、流路途中に除電装置１１６が設けられている。
１２４は分岐配管１２３入側に設けられた絶縁油１０５の流量を調整する流量調整弁である。
【００２３】
上記のように構成された静止誘導電気機器装置では、循環する絶縁油１０５は下部配管１２２と分岐配管１２３に分かれて流れるが、分岐配管１２３側の除電装置１１６を通る絶縁油１０５の流量は流量調整弁１２４によって調整され、その流速が上がることによって帯電が優勢となることを防止している。
【００２４】
このように上記実施の形態３によれば、下部配管１２２に内部を流れる絶縁油１０５の流量を調整できる分岐配管１２３を形成し分岐配管１２３内に除電装置１１６を設けたので、除電装置１１６内で帯電が優勢にならない流速に流量を調整することが可能で絶縁油１０５内の帯電電荷の緩和を促進することができる。
【００２５】
実施の形態４．
図１１はこの発明の実施の形態４における静止誘導電気機器装置の要部の構成を示す断面図である。
図において、実施の形態１におけると同様の部分は同一符号を付してその説明は省略する。１２５は冷却器１０８とタンク１０４の下部開口１０４ｂ間を連結し絶縁油１０５の流路をなす下部配管で、流路途中に除電装置１１６が封止弁１２６を介して取り付けてある。１２７は下部配管１２５と分岐して設けられた分岐配管で、流路途中に予備用としての除電装置１１６が封止弁１２６を介して取り付けてある。
【００２６】
上記のように構成された静止誘導電気機器装置では、通常封止弁１２６は分岐配管１２７側を閉じ、下部配管１２５側を開けた状態で運転され、絶縁油１０５は下部配管１２５の除電装置１１６を通って循環するが、除電装置１１６のメンテナンス等で取り外しを必要とする場合、封止弁１２６を分岐配管１２７側を開に下部配管１２５側を閉に切り換えることによって、絶縁油１０５を分岐配管１２７への循環路に切り換える。
【００２７】
このように、実施の形態４によれば、下部配管１２５に分岐配管１２７を形成し両配管１２５、１２７内にそれぞれ除電装置１１６を取り付けるとともに、両配管１２５、１２７を流れる絶縁油１０５を封止弁１２６によって切り替え可能にしたので、変圧器等装置の運転を停止することなく除電装置１１６のメンテナンスが可能となり経済性が向上する。
【００２８】
実施の形態５．
図１２はこの発明の実施の形態５における静止誘導電気機器装置の要部の構成を示す断面図である。
図において、実施の形態１におけると同様の部分は同一符号を付してその説明は省略する。１２８は冷却器１０８とタンク１０４の下部開口１０４ｂ間を連結し絶縁油１０５の流路をなす下部配管、１２９はタンク１０４の上部位置にタンク１０４の上部空間１０６と連通して循環流路を形成するように設けられた第２の配管で、流路途中に除電装置１１６が封止弁１２６を介して取り付けてある。１３０は第２の配管１２９の流路途中に設けられ絶縁油１０５を循環させる動力ポンプである。
【００２９】
上記のように構成された静止誘導電気機器装置では、変圧器等装置の運転中にタンク１０４の上部空間１０６の絶縁油１０５の電荷により変圧器１０１の上部の絶縁が脅かされる可能性がある場合に、動力ポンプ１３０を稼動させ、上部空間１０６内の絶縁油１０５を第２の配管１２９でなる強制循環回路を通過させることによって、タンク１０４の上部側絶縁油１０５内の帯電電荷が除電装置１１６によって徐々に緩和されることになる。
【００３０】
このように実施の形態５によれば、タンク１０４の上部位置にタンク１０４内と第２の配管１２９で連通する絶縁油１０５の強制循環回路を設け、第２の配管内に除電装置１１６を備えるようにしたので、タンク１０４の上部側の絶縁油１０５内の帯電電荷が緩和され変圧器１０１の上部絶縁を保護することが可能となる。
【００３１】
なお、上記各実施の形態では、冷却媒体として絶縁油１０５について説明したが、他の冷却媒体例えばＳＦ6ガスやパーフルオロカーボン液を用いたものに適用できることはいうまでもない。
【００３２】
【発明の効果】
以上のように、この発明の請求項１によれば、内部に冷却媒体と静止誘導電気機器を収納するタンクと、このタンクに配管を介して連通し循環する冷却媒体を冷却させる冷却器を備えた静止誘導電気機器装置において、
配管内の所定位置に複数の導電性金属板を冷却媒体の流れの方向に板面を沿わせかつ、づらして配置するとともに接地して冷却媒体内の静電荷を除電する除電手段を設けたので、冷却媒体の循環に係る冷却媒体の電荷密度の上昇を抑制し絶縁信頼性を確保できる静止誘導電気機器装置を提供することができる。
【００３３】
また、この発明の請求項２によれば、請求項１において、除電手段を、中央部が配管の中心に沿って配置された軸に順次周方向に角度をずらして取り付けられた複数の導電性金属板で構成されているので、冷却媒体内の帯電電荷を効率よく緩和させることが可能な静止誘導電気機器装置を提供することができる。
【００３４】
また、この発明の請求項３によれば、請求項２において、配管は周方向に分割され少なくとも一つの導電性金属板の端部が分割された面で挟持されているので、除電手段の組立、分解を容易にした静止誘導電気機器装置を提供することができる。
【００３５】
また、この発明の請求項４によれば、請求項１において、除電手段は、配管の長手方向に視て所定の間隔を介して平行となるように配置された複数の導電性金属板で構成されているので、冷却媒体内の帯電電荷を効率よく緩和させる静止誘導電気機器装置を提供することができる。
【００３６】
また、この発明の請求項５によれば、請求項２ないし４のいずれかにおいて、導電性金属板は流れの方向の両端部が流線形状を成しているので、冷却媒体の流れをさらに阻害しない静止誘導電気機器装置を提供することができる。
【００３７】
また、この発明の請求項６によれば、請求項１において、配管に内部を流れる冷却媒体の流量を調整できる分岐配管を形成し分岐配管内に除電手段を設けたので、除電装置内の流速を調整することが可能で冷却媒体内の帯電電荷の緩和をさらに促進することができる静止誘導電気機器装置を提供することができる。
【００３８】
また、この発明の請求項７によれば、請求項１において、配管に分岐配管を形成し両配管内にそれぞれ除電手段を設けるとともに両配管を流れる冷却媒体の切り替えを可能にしたので、除電装置のメンテナンスが装置の運転中に可能な静止誘導電気機器装置を提供することができる。
【００３９】
また、この発明の請求項８によれば、内部に冷却媒体と静止誘導電気機器を収納するタンクと、このタンクに配管を介して連通し循環する冷却媒体を冷却させる冷却器を備えた静止誘導電気機器装置において、タンクの上部位置にタンク内と第２の配管で連通する冷却媒体の強制循環回路を設け、第２の配管内に複数の導電性金属板を冷却媒体の流れの方向に板面を沿わせかつ、づらして配置するとともに接地して冷却媒体内の静電荷を除電する除電手段を設けたので、冷却媒体の循環に係る冷却媒体の電荷密度の上昇を抑制し絶縁信頼性を確保できる静止誘導電気機器装置を提供することができる。
【図面の簡単な説明】
【図１】  この発明の実施の形態１による静止誘導電気機器装置の要部の構成を示す断面図である。
【図２】  図１における除電装置の構成を詳細に示す斜視図である。
【図３】  除電装置の除電電極構成の特徴を説明するための斜視図である。
【図４】  除電装置の除電電極近傍の冷却媒体の流れを示す部分断面図である。
【図５】  除電装置を流れの方向から投影して示した断面図である。
【図６】  除電装置を流れの方向に各除電電極位置に順次断面して示した断面展開図である。
【図７】  除電装置の除電電極要部を拡大に示す断面図である。
【図８】  この発明の実施の形態２による静止誘導電気機器装置において、その除電装置の要部の構成を示す斜視図である。
【図９】  図８における流れの方向に投影して示した断面図である。
【図１０】  この発明の実施の形態３による静止誘導電気機器装置の要部の構成を示す断面図である。
【図１１】  この発明の実施の形態４による静止誘導電気機器装置の要部の構成を示す断面図である。
【図１２】  この発明の実施の形態５による静止誘導電気機器装置の要部の構成を示す断面図である。
【図１３】  従来の静止誘導電気機器装置の要部の構成を示す断面図である。
【図１４】  従来の帯電現象に対する帯電を緩和するプロセス例を示す装置の断面図である。
【図１５】  冷却器の帯電現象のプロセス例を示す装置の断面図である。
【符号の説明】
１０１  変圧器（静止誘導電気機器）、１０４  タンク、
１０５  絶縁油（冷却媒体）、１０８  冷却器、１０９  上部配管、
１１０  下部配管、１１２  継管、１１２ａ  分割面、１１３  軸、
１１４  除電電極（導電性金属板）、１１４ａ  固定用除電電極、
１１４ｂ，１１４ｃ  端部、１１５  接地線（接地）、
１１６  除電装置（除電手段）、１１９  継管、１１９ａ  分割面、
１２０  除電電極（導電性金属板）、１２０ａ  端部、
１２１  除電装置（除電手段）、１２２  下部配管、１２３  分岐配管、
１２４  流量調整弁、１２５  下部配管、１２６  封止弁、１２７  分岐配管、１２８  下部配管、１２９  第２の配管、１３０  動力ポンプ。
【図１】
0003650287.tif 000002
【図２】
0003650287.tif 000003
【図３】
0003650287.tif 000004
【図４】
0003650287.tif 000005
【図５】
0003650287.tif 000006
【図６】
0003650287.tif 000007
【図７】
0003650287.tif 000008
【図８】
0003650287.tif 000009
【図９】
0003650287.tif 000010
【図１０】
0003650287.tif 000011
【図１１】
0003650287.tif 000012
【図１２】
0003650287.tif 000013
【図１３】
0003650287.tif 000014
【図１４】
0003650287.tif 000015
【図１５】
0003650287.tif 000016